(57)【要約】      （修正有）【課題】音楽の演奏上もっとも重要な躍動感（スウィング感）や音の響きの違いなどを日頃の練習時において自然に修得することが出来、また変拍子のレッスンにおいて正確な練習を可能とする、メトロノームなど視覚的に現認可能なテンポ表示機器の拍子表示方法を提供する。【解決手段】始点（Ａ）と他の二点（Ｂ、Ｃ）による三点で構成され、その各点間を結ぶことによって描かれる各軌跡（ストローク）の組み合わせを用いて、各拍子、並びに各変拍子における多様な拍子パターンを音楽の指揮法上、基本的に重要なテクニックである、ダウン・ストローク（ダウン・ビート）アップ・ストローク（アップ・ビート）の表示を連続的に表示し、指揮法上基本的な拍子表示ができる構成方法を実現する。【選択図】図１
2005003677.tif 000002
【特許請求の範囲】
【請求項１】
メトロノームなど視覚的に現認可能なテンポ表示機器の拍子表示方法として、始点（Ａ）と他の二点（Ｂ、Ｃ）による三点で構成され、その各点間を結ぶことによって描かれる各軌跡（ストローク）の組み合わせを用いることにより、各拍子（２拍子、３拍子、４、５、６、７・・・・・拍子）において音楽の指揮法上、基本的に重要なテクニックであるダウン・ストローク（ダウン・ビート）アップ・ストローク（アップ・ビート）を連続的に表示することができ、指揮法上基本的な拍子表示が可能となる。並びに各変拍子において、多様な拍子パターンの表示も指揮法上基本的な拍子表示ができる構成方法。
【発明の詳細な説明】
【技術分野】
【０００１】    音楽の拍子表示を行うメトロノームなど視覚的に現認可能なテンポ表示機器への拍子表示方法として応用する。
【背景技術】
【０００２】    これまで拍子表示方法としてメトロノームなど視覚的に現認可能なテンポ表示機器などがあるが、現在市販されているメトロノームなどテンポ表示機器では、一点における光の点滅による表示のものや、二点間を往復するだけのストローク表示構成のものなどであるため、音楽の指揮法上でのダウン・ストローク（ダウン・ビート）アップ・ストローク（アップ・ビート）の表示がなされているとは言えない。並びに各変拍子における多様な拍子パターンの表示を連続的に表示し、視覚的に現認可能とする拍子表示構成のものがない。
【発明の開示】
【発明が解決しようとする課題】
【０００３】    現在市販されているメトロノームなど視覚的に現認可能なテンポ表示機器では、指揮法上でのダウン・ストローク（ダウン・ビート）アップ・ストローク（アップ・ビート）を連続的に拍子表示されていないため、音楽の演奏上でもっとも重要な躍動感（スウィング感）や音の響きの違いなどを、日頃の練習時において自然に修得することができないという課題がある。並びに各変拍子の練習においては、より的確な練習の為のメトロノームなど視覚的に現認可能なテンポ表示機器などがない、という課題がある。
【課題を解決するための手段】
【０００４】    本発明において、拍子表示方法として始点（Ａ）と他の二点（Ｂ、Ｃ）による三点で構成され、その各点間を結ぶことによって描かれる各軌跡（ストローク）の組み合わせを用いて、各拍子において音楽の指揮法上、基本的な重要なテクニックである、ダウン・ストローク（ダウン・ビート）アップ・ストローク（アップ・ビート）を表示し、指揮法上基本的な拍子表示をする。並びに各変拍子において多様な拍子パターンの表示、指揮法上基本的な拍子表示ができる構成方法を実現する。
【発明の効果】
【０００５】    本発明により、ダウン・ストローク（ダウン・ビート）アップ・ストローク（アップ・ビート）を連続的に表示することが可能となることにより、音楽の演奏上もっとも重要な躍動感（スウィング感）や音の響きの違いなどを日頃の練習時において自然に修得することが出来る。また変拍子のレッスンにおいては正確な練習が可能となる。
【発明を実施するための最良の形態】
【０００６】    メトロノームなど視覚的に現認可能なテンポ表示機器の拍子表示方法として応用することにより、各拍子、並びに各変拍子における多様な拍子パターンからの選択を可能とする機能を有する機器となる。
【実施例】
【０００７】    図１に示すように、始点（Ａ）と他の二点（Ｂ、Ｃ）による三点（Ａ、Ｂ、Ｃ）で構成され、その各点の配置は各点Ａ、Ｂ、Ｃを結ぶと二等辺三角形又は正三角形となる位置に配置する。またその各点を結ぶ線形は直線でも曲線（直線及び曲線において間欠線・点線を含む）でもよく、滑らかに接続する線形であればよい。またダウン・ストローク（ダウン・ビート）はＡからＢ、ＡからＣ、ＢからＣ、ＣからＢにそれぞれ向かう軌跡（ストローク）とし、アップ・ストローク（アップ・ビート）はＢからＡ、ＣからＡに向かう軌跡（ストローク）とする。以下ＡからＢ、ＢからＡ、などの軌跡（ストローク）の表示をＡ→Ｂ、Ｂ→Ａなどで表現する。【０００８】    図２には、各拍子における多様な拍子パターンからの選択のための軌跡（ストローク）の組み合わせの構成方法を記した。
二拍子    Ａ→Ｃ、Ｃ→Ａ、
三拍子    Ａ→Ｂ、Ｂ→Ｃ、Ｃ→Ａ、
四拍子    Ａ→Ｂ、Ｂ→Ａ、Ａ→Ｃ、Ｃ→Ａ、
五拍子  （二拍、三拍）Ａ→Ｃ、Ｃ→Ａ、Ａ→Ｂ、Ｂ→Ｃ、Ｃ→Ａ、
（三拍、二拍）Ａ→Ｂ、Ｂ→Ｃ、Ｃ→Ａ、Ａ→Ｃ、Ｃ→Ａ
六拍子    三拍子の繰り返し
七拍子  （三拍、四拍）
Ａ→Ｂ、Ｂ→Ｃ、Ｃ→Ａ、Ａ→Ｂ、Ｂ→Ａ、Ａ→Ｃ、Ｃ→Ａ、
（二拍、三拍、二拍）
Ａ→Ｂ、Ｂ→Ａ、Ａ→Ｂ、Ｂ→Ｃ、Ｃ→Ａ、Ａ→Ｃ、Ｃ→Ａ、
（四拍、三拍）
Ａ→Ｂ、Ｂ→Ａ、Ａ→Ｃ、Ｃ→Ａ、Ａ→Ｂ、Ｂ→Ｃ、Ｃ→Ａ、【０００９】    図３−（１）、図３−（２）、図３−（３）に示すように、始点（Ａ）と他の二点（Ｂ、Ｃ）による三点で構成され、その各点間を結ぶことによって描かれる軌跡（ストローク）。Ａ→Ｂ、Ｂ→Ａ、Ａ→Ｃ、Ｃ→Ａ、Ｂ→Ｃ、Ｃ→Ｂ、において、それぞれの軌跡（ストローク）上に♪♪＝（１）および♪♪♪＝（１．５）となるような二種類の時間差表示を設定し、その各点間を結ぶことによって描かれる軌跡（ストローク）と、ふたつの時間差表示の内ひとつを選択した、それぞれの軌跡（ストローク）を組み合わせることにより、各変拍子における多様な拍子パターンを連続的に表示することを可能とする表示の構成方法を記す。以下時間差表示をそれぞれ（１）及び（１．５）と記す。
５／８拍子（２、３拍）  Ａ→Ｃ（１）Ｃ→Ａ（１．５）
（３、２拍）  Ａ→Ｃ（１．５）Ｃ→Ａ（１）
７／８拍子（３、２、２拍）Ａ→Ｂ（１．５）Ｂ→Ｃ（１）Ｃ→Ａ（１）
（２、３、２拍）Ａ→Ｂ（１）Ｂ→Ｃ（１．５）Ｃ→Ａ（１）
（２、２、３拍）Ａ→Ｂ（１）Ｂ→Ｃ（１）Ｃ→Ａ（１．５）
８／８拍子（３、３、２拍）Ａ→Ｂ（１．５）Ｂ→Ｃ（１．５）Ｃ→Ａ（１）
（２、３、３拍）Ａ→Ｂ（１）Ｂ→Ｃ（１．５）Ｃ→Ａ（１．５）
（３、２、３拍）Ａ→Ｂ（１．５）Ｂ→Ｃ（１）Ｃ→Ａ（１．５）
９／８拍子（２、２、２、３拍＝２／４、５／８）
Ａ→Ｂ（１）Ｂ→Ａ（１）Ａ→Ｃ（１）Ｃ→Ａ（１．５）
（２、２、３、２拍＝２／４、５／８）
Ａ→Ｂ（１）Ｂ→Ａ（１）Ａ→Ｃ（１．５）Ｃ→Ａ（１）
（２、３、２、２拍＝５／８、２／４）
Ａ→Ｂ（１）Ｂ→Ａ（１．５）Ａ→Ｃ（１）Ｃ→Ａ（１）
（３、２、２、２拍＝５／８、２／４）
Ａ→Ｂ（１．５）Ｂ→Ａ（１）Ａ→Ｃ（１）Ｃ→Ａ（１）【００１０】１０／８拍子（３、３、２、２拍＝６／８、２／４）
Ａ→Ｂ（１．５）Ｂ→Ａ（１．５）Ａ→Ｃ（１）Ｃ→Ａ（１）
（２、２、３、３拍＝２／４、６／８）
Ａ→Ｂ（１）Ｂ→Ａ（１）Ａ→Ｃ（１．５）Ｃ→Ａ（１．５）
１１／８拍子（３、３、３、２拍＝６／８、５／８）
Ａ→Ｂ（１．５）Ｂ→Ａ（１．５）Ａ→Ｃ（１．５）Ｃ→Ａ（１）
（３、３、２、３拍＝６／８、５／８）
Ａ→Ｂ（１．５）Ｂ→Ａ（１．５）Ａ→Ｃ（１）Ｃ→Ａ（１．５）
（３、２、３、３拍＝５／８、６／８）
Ａ→Ｂ（１．５）Ｂ→Ａ（１）Ａ→Ｃ（１．５）Ｃ→Ａ（１．５）
（２、３、３、３拍＝５／８、６／８）
Ａ→Ｂ（１）Ｂ→Ａ（１．５）Ａ→Ｃ（１．５）Ｃ→Ａ（１．５）
１２／８拍子（２、２、２、３、３拍＝３／４、６／８）
Ａ→Ｂ（１）Ｂ→Ｃ（１）Ｃ→Ａ（１）Ａ→Ｃ（１．５）Ｃ→Ａ（１．５）
（３、３、２、２、２拍＝６／８、３／４）
Ａ→Ｃ（１．５）Ｃ→Ａ（１．５）Ａ→Ｂ（１）Ｂ→Ｃ（１）Ｃ→Ａ（１）
【産業上の利用可能性】
【００１１】    音楽のレッスンのための拍子表示を行うメトロノームなど視覚的に現認可能なテンポ表示機器への拍子表示方法として応用することで、音楽の練習用機器や自動指揮者機器（トレーニング・コンダクター機器）として応用展開され利用が可能となる。
【図面の簡単な説明】
【００１２】
【図１】      始点（Ａ）と他の二点（Ｂ、Ｃ）による三点で構成される、その各点の配置と、その各点間を結ぶことによって描かれる軌跡（ストローク）を示した平面図である。
【図２】    各拍子並びに多様な拍子パターンにおける各点間の軌跡（ストローク）の進行方向の表示と進行順序を示した平面図である。
2005003677.tif 000003
【符号の説明】
【００１３】  ・点Ａは始点を、点Ｂ、点Ｃは他の二点を示す。
・→  ←  は軌跡（ストローク）の進行方向を示す。
・１、２、３、・・・・各アラビア数字は進行順序を示す。
・（１）  （１．５）は時間差表示を示す。
【図１】
2005003677.tif 000004
【図２】
2005003677.tif 000005
【図３−（１）】
2005003677.tif 000006
【図３−（２）】
2005003677.tif 000007
【図３−（３）】
2005003677.tif 000008